(57)【要約】【課題】  ケーブルを確実に保持するケーブルクリップを提供する。【解決手段】  ケーブルクリップＡを、支持基板１と、その一端からの湾曲連結部を介した平板状にしてスリット４を設けたケーブル保持板３によって、支持基板１表面側の断面Ｕ字状のケーブル保持溝５を、支持基板１の他端からの同じく湾曲連結部を介した断面Ｃ字状の挟持板１０によって支持基板１裏面側の挟持溝１１をそれぞれ有して、バネ鋼で断面略Ｓ字状一体に形成し、ケーブル保持板３に押開き用の押開き操作片７とその面内のドライバー受入孔８を配置し、また、挟持板１０の先端に挟持ガイド１２を配置したものとする。所定本数より少ないケーブルＣを揺動保持して、これに負担を掛けずに保持を行うことができる。【選択図】  図７
2013042601.tif 000002
【特許請求の範囲】
【請求項１】
支持基板と、該支持基板の一端から湾曲又は屈曲連結部を介して突出配置し該支持基板の表面を離隔被覆し且つ突出方向先端を支持基板側に向けて近接乃至対接して上記支持基板表面との間に断面Ｕ字状のケーブル保持溝を形成する平板状のケーブル保持板と、上記支持基板の他端から同じく湾曲又は屈曲連結部を介して突出配置し上記支持基板の裏面を部分的に離隔被覆し且つ突出方向先端を支持基板側に向けて近接乃至対接して上記支持基板裏面との間に挟持溝を形成する断面Ｃ字状の挟持板を備えて、バネ鋼に曲げ加工を施すことによって断面略Ｓ字状一体に形成し、上記断面Ｕ字状のケーブル保持溝の長さをケーブル多数本分に設定するとともにその上記ケーブル保持板を湾曲連結部に対して支持基板側に付勢することによって上記断面倒Ｕ字状のケーブル保持溝内にケーブルを弾発押圧状として且つケーブル数が上記多数本以下の複数のとき該ケーブル保持溝内でケーブルの揺動を許容するように保持自在としてなることを特徴とするケーブルクリップ。
【請求項２】
上記ケーブル保持板の突出方向先端に該先端から支持基板離隔方向に向けたケーブル保持板の押開き用の押開き操作片を配置するとともにその面内中央位置にプラスドライバー挿入用の円形孔とマイナスドライバー挿入用の該円形孔の中心位置を通る延長線上の円形孔端部にケーブル保持板の先端に平行な一対の溝によるドライバー受入孔を透設してなることを特徴とする請求項１に記載のケーブルクリップ。
【請求項３】
上記挟持板の先端に該先端から支持基板離隔方向に向けた挟持ガイドを配置するとともに該挟持ガイドを支持基板側に鋭角に延長突出しその先端を支持基板に対接する挟持板先端長手方向に複数の切起し鋭角突片を配置してなることを特徴とする請求項１又は２に記載のケーブルクリップ。
【請求項４】
上記支持基板とケーブル保持板に上記湾曲連結部を介した一連のスリットを配置してなることを特徴とする請求項１、２又は３に記載のケーブルクリップ。
【発明の詳細な説明】
【技術分野】
【０００１】
本発明は、電動装置の制御等の各種用途に用いる電力の入出力用の多数本のケーブルをその長手方向中間や端部の所定位置で構造材や設置物等の固定部位に保持するように用いるケーブルクリップに関する。
【背景技術】
【０００２】
この種のケーブルクリップとして、例えば、下記特許文献１は、支持基板と、該支持基板の一端から底板を介して突出配置し支持基板の表面との間に断面Ｕ字状のケーブル保持溝を形成する断面Ｌ字状のケーブル保持板と、上記支持基板及びケーブル保持板の先端からそれぞれケーブル保持溝内に向けて配置してケーブル保持溝の開口を断面傾斜Ｔ字状に付勢閉塞する一対の弾性支持片と、上記ケーブル保持板の裏面に突出配置した該ケーブル保持板係止固定用の係止部を備えて、硬質合成樹脂で一体に形成したものとし、係止部によって基体にケーブル保持板を固定し、上記弾性支持片を押圧するように、例えば大径１、小径の異径３本のケーブルを挿入保持するようにしたものとされる。
【先行技術文献】
【特許文献】
【０００３】
【特許文献１】特開２００６−１６６５７３号公報
【発明の概要】
【発明が解決しようとする課題】
【０００４】
この場合、主に車両における車内配置のケーブルの保持を行うことができるし、ケーブルの保持は弾性支持片の弾性を用いて容易且つ確実に行うことができるが、例えば電動式の立体駐車場におけるような電動装置の制御等の各種用途ににあって、ケーブルは、同径又は異径のもの、例えば７ｍｍ程度の同径のものを、単一本、複数本乃至多数本として所定位置に保持する必要が生じることもある上、上記ケーブルクリップは車両の予め定めた特定位置に設置した係止孔にその係止部を係止するものとされるところ、チャンネル材のような構造材のフランジや、設置物の突出縁等の固定部位に対して現場固定を行う場合に、このような係止孔を予め設置することは困難であるから、上記特許文献１に記載のものは、予めケーブル保持位置を定めて設計し得る場合を除いてその余のケーブルの保持を現場で行うには適当ではなく、また、硬質合成樹脂のケーブルクリップは、上記車両に適したものとしても、上記電動装置に見られるように屋外乃至これに近い環境で使用するものとしては同じく適当ではない。
【０００５】
本発明はかかる事情に鑑みてなされたもので、その解決課題とするところは、単一本又は同径乃至異径多数本の入出力用のケーブルの保持をケーブル配線現場において簡易且つ確実になし得て使い勝手が良好であるとともに屋外やこれに近い環境でも長期に亘る耐久性を備えたケーブルクリップを提供するにある。
【課題を解決するための手段】
【０００６】
上記課題に沿って本発明は、支持基板、該支持基板とケーブル保持溝を形成するケーブル保持板及び支持基板と、固定用の挟持板を、バネ鋼の加工によって断面Ｓ字状一体に形成する一方、支持基板とケーブル保持板による上記ケーブル保持溝をケーブル多数本用に断面Ｕ字状とし且つケーブル保持板を支持基板側に付勢したものとして、上記ケーブル保持溝に、単一本乃至多数本のケーブルを保持して、支持基板と挟持板間に、ケーブルを現場固定する対象の構造材のフランジや、設置物の突出縁等適宜の固定部位を支持基板と挟持板間に受入れ挟持することによって、ケーブルを構造材や設置物に沿わせるように保持するようにするとともにケーブルが多数本以下の複数本のとき、該ケーブルがケーブル保持溝内で揺動し得るようにして、ケーブルの相対的位置、ケーブルの方向、ケーブルの径、ケーブルの弛み等、様々なケースにおけるケーブルの配置形態に応じて、ケーブルに負担をかけることなく、その保持をなし得るものとしたものであって、即ち、請求項１に記載の発明を、支持基板と、該支持基板の一端から湾曲又は屈曲連結部を介して突出配置し該支持基板の表面を離隔被覆し且つ突出方向先端を支持基板側に向けて近接乃至対接して上記支持基板表面との間に断面Ｕ字状のケーブル保持溝を形成する平板状のケーブル保持板と、上記支持基板の他端から同じく湾曲又は屈曲連結部を介して突出配置し上記支持基板の裏面を部分的に離隔被覆し且つ突出方向先端を支持基板側に向けて近接乃至対接して上記支持基板裏面との間に挟持溝を形成する断面Ｃ字状の挟持板を備えて、バネ鋼に曲げ加工を施すことによって断面略Ｓ字状一体に形成し、上記断面Ｕ字状のケーブル保持溝の長さをケーブル多数本分に設定するとともにその上記ケーブル保持板を湾曲連結部に対して支持基板側に付勢することによって上記断面倒Ｕ字状のケーブル保持溝内にケーブルを弾発押圧状として且つケーブル数が上記多数本以下の複数のとき該ケーブル保持溝内でケーブルの揺動を許容するように保持自在としてなることを特徴とするケーブルクリップとしたものである。
【０００７】
請求項２に記載の発明は、上記に加えて、ケーブルの上記ケーブル保持溝に対する保持に際して、手持ちのプラスドライバー、マイナスドライバーのいずれによってもケーブル保持板の押開き開閉の操作を行ってケーブルをケーブル保持溝に容易且つ確実に挿入し得るものとするように、これを、上記ケーブル保持板の突出方向先端に該先端から支持基板離隔方向に向けたケーブル保持板の押開き用の押開き操作片を配置するとともにその面内中央位置にプラスドライバー挿入用の円形孔とマイナスドライバー挿入用の該円形孔の中心位置を通る延長線上の円形孔端部にケーブル保持板の先端に平行な一対の溝によるドライバー受入孔を透設してなることを特徴とする請求項１に記載のケーブルクリップとしたものである。
【０００８】
請求項３に記載の発明は、同じく上記に加えて、支持基板と挟持板に対する上記構造材のフランジや設置物の突出縁等適宜の固定部位を支持基板と挟持板間への受入れを容易且つ確実になし得るものとするとともに挟持板の先端長手方向に複数の切起し鋭角突片を配置することにより、上記挟持溝に受け入れた構造材のフランジや設置物の突出縁をその受け入れと逆方向に係止し、その確実な固定をなし得るものとするように、これを、上記挟持板の先端に該先端から支持基板離隔方向に向けた挟持ガイドを配置するとともに該挟持ガイドを支持基板側に鋭角に延長突出しその先端を支持基板に対接する挟持板先端長手方向に複数の切起し鋭角突片を配置してなることを特徴とする請求項１又は２に記載のケーブルクリップとしたものである。
【０００９】
請求項４に記載の発明は、同じく上記に加えて、上記ケーブル保持板を支持基板側に付勢したことによって、ケーブル保持溝へのケーブルの保持に際して抵抗が大きくなるのを防止して、可及的容易且つ確実にケーブル保持をなし得るものとするように、これを、上記支持基板とケーブル保持板に上記湾曲連結部を介した一連のスリットを配置してなることを特徴とする請求項１、２又は３に記載のケーブルクリップとしたものである。
【００１０】
本発明はこれらをそれぞれ発明の要旨として上記課題解決の手段としたものである。
【発明の効果】
【００１１】
本発明は以上のとおりに構成したから、請求項１に記載の発明は、支持基板、該支持基板とケーブル保持溝を形成するケーブル保持板及び支持基板と、固定用の挟持板を、バネ鋼の加工によって断面Ｓ字状一体に形成する一方、支持基板とケーブル保持板による上記ケーブル保持溝をケーブル多数本用に断面Ｕ字状とし且つケーブル保持板を支持基板側に付勢したものとして、上記ケーブル保持溝に、単一本乃至多数本のケーブルを保持して、支持基板と挟持板間に、ケーブルを現場固定する対象の構造材のフランジや、設置物の突出縁等適宜の固定部位を支持基板と挟持板間に受入れ挟持することによって、ケーブルを構造材や設置物に沿わせるように保持するようにするとともにケーブルが多数本以下の複数本のとき、該ケーブルがケーブル保持溝内で揺動し得るようにして、ケーブルの相対的位置、ケーブルの方向、ケーブルの径、ケーブルの弛み等、様々なケースにおけるケーブルの配置形態に応じて、ケーブルに負担をかけることなく、その保持をなし得るものとして、単一本又は同径乃至異径多数本の入出力用のケーブルの保持をケーブル配線現場において簡易且つ確実になし得て使い勝手が良好であるとともに屋外やこれに近い環境でも長期に亘る耐久性を備えたケーブルクリップを提供することができる。
【００１２】
請求項２に記載の発明は、上記に加えて、ケーブルの上記ケーブル保持溝に対する保持に際して、手持ちのプラスドライバー、マイナスドライバーのいずれによってもケーブル保持板の押開き開閉の操作を行ってケーブルをケーブル保持溝に容易且つ確実に挿入し得るものとすることができる。
【００１３】
請求項３に記載の発明は、同じく上記に加えて、支持基板と挟持板に対する上記構造材のフランジや設置物の突出縁等適宜の固定部位を支持基板と挟持板間への受入れを容易且つ確実になし得るものとするとともに挟持板の先端長手方向に複数の切起し鋭角突片を配置することにより、上記挟持溝に受け入れた構造材のフランジや設置物の突出縁をその受け入れと逆方向に係止し、その確実な固定をなし得るものとすることができる。
【００１４】
請求項４に記載の発明は、同じく上記に加えて、上記ケーブル保持板を支持基板側に付勢したことによって、ケーブル保持溝へのケーブルの保持に際して抵抗が大きくなるのを防止して、可及的容易且つ確実にケーブル保持をなし得るものとすることができる。
【図面の簡単な説明】
【００１５】
【図１】ケーブルクリップの側面図である。
【図２】ケーブルクリップの平面図である。
【図３】ケーブルクリップの底面図である。
【図４】ケーブルクリップに４本のケーブルを保持した状態を示す側面図である。
【図５】ケーブルクリップに１本のケーブルを保持した状態を示す側面図である。
【図６】ケーブルクリップに３本のケーブルを保持した状態を示す側面図である。
【図７】ケーブルクリップにより構造材のフランジにケーブルを保持した状態を示す斜視図である。
【発明を実施するための形態】
【００１６】
以下図面の例に従って本発明を更に具体的に説明すれば、Ａはケーブルクリップ、Ｂは該ケーブルクリップを固定した、例えばチャンネル材を用いた構造材のフランジであり、ケーブルクリップＡは、支持基板１と、該支持基板１の一端から湾曲又は屈曲連結部、本例にあっては湾曲連結部２を介して突出配置し該支持基板１の表面を離隔被覆し且つ突出方向先端を支持基板１側に向けて近接乃至対接して上記支持基板１表面との間に断面Ｕ字状のケーブル保持溝５を形成する平板状のケーブル保持板３と、上記支持基板１の他端から同じく湾曲又は屈曲連結部、本例にあっては湾曲連結部９を介して突出配置し上記支持基板１の裏面を部分的に離隔被覆し且つ突出方向先端を支持基板１側に向けて近接乃至対接して上記支持基板１裏面との間に挟持溝１１を形成する断面Ｃ字状の挟持板１０を備えて、バネ鋼に曲げ加工を施すことによって断面略Ｓ字状一体に形成したものとしてあり、このとき、上記断面Ｕ字状のケーブル保持溝５の長さは、これをケーブルＣ多数本分に設定するとともにその上記ケーブル保持板３を湾曲連結部２に対して支持基板１側に付勢することによって上記断面倒Ｕ字状のケーブル保持溝５内にケーブルＣを弾発押圧状として且つケーブルＣ数が上記多数本以下の複数のとき該ケーブル保持溝５内でケーブルＣの揺動を許容するように保持自在としたものとしてある。
【００１７】
本例にあって、該ケーブルクリップＡは、上記ケーブル保持板３の突出方向先端に該先端から支持基板１離隔方向に向けたケーブル保持板３の押開き用の押開き操作片７を配置し、上記挟持板１０の先端に該先端から支持基板１離隔方向に向けた挟持ガイド１２を配置したものとし、また、上記支持基板１とケーブル保持板３に上記湾曲連結部２を介した一連のスリット４を配置したものとしてある。
【００１８】
本例にあって該ケーブルクリップＡは、例えば０．６ｍｍ厚ステンレスのバネ鋼に曲げ加工を施して上記断面Ｓ字状をなすものとし、例えば、長さを４ｃｍ程度、幅を２ｃｍ程度、最大厚さを２ｃｍ程度した一体の曲げ加工品としてある。
【００１９】
本例の上記ケーブル保持溝５は、これを、例えば７ｍｍ径のケーブルＣを多数本、本例にあっては最大４本用としてあり、上記湾曲連結部２を該ケーブルＣの径に合せた内径とし、ケーブル保持板３を該湾曲連結部２から支持基板１側に傾斜配置し、その突出方向先端の支持基板１との間隔を５乃至６ｍｍ程度としてあり、これによってケーブル保持溝５に保持したケーブルＣを、その本数に拘わらず弾発的に保持するようにしてある。
【００２０】
このとき、上記支持基板１とケーブル保持板３に配置した上記湾曲連結部２を介した一連のスリット４によって上記２ｃｍの幅の支持基板１とケーブル保持板３を部分的に幅方向に区分してあり、本例の該スリット４は、支持基板１の長手方向湾曲連結部側の１／２乃至１／３程度の位置から、該湾曲連結部２を介して、上記ケーブル保持板３の略全長に亘るように、例えば２ｍｍ程度の幅のものとしてあり、該スリット４は幅方向中央位置に単一に配置することによって上記支持基板１とケーブル保持板３の上記幅方向の区分をこれらを２等分するようにしてある。
【００２１】
上記ケーブル保持板３は、その先端を支持基板１側に向けて湾曲乃至折曲して配置した曲げ片６を備えてあり、該曲げ片６の先端を該支持基板１の表面側に対接又は近接、本例にあっては対接するように配置する一方、該曲げ片６を介してその先端に上記押開き操作片７を配置してあり、該押開き操作片７は、例えばケーブル保持板３を支持基板１と逆側に折り返すように該曲げ片６から所定角度、本例にあっては直角に起立するように配置してある。このとき該押開き操作片７は、例えば起立幅を１ｃｍ程度として、その突出方向先端位置を該ケーブルクリップＡから大きく突出することのないようにしてある。
【００２２】
押開き操作片７は、その面内中央位置にプラスドライバー挿入用の円形孔とマイナスドライバー挿入用の該円形孔の中心位置を通る延長線上の円形孔端部にケーブル保持板３の先端に平行な一対の溝によるドライバー受入孔８を透設したものとしてあり、本例にあって該ドライバー受入孔８は、その上記一対の溝を含めた全長を１ｃｍ程度とし、円形孔の径を７ｍｍ程度として、配線工事に一般に携行されるプラスドライバー又はマイナスドライバーのいずれによっても、その先端を押開き操作片７の裏側、即ち、支持基板１側からドライバー受入孔８に挿入し、該押開き操作片７を押し上げ状として上記ケーブル保持板３を支持基板１から持ち上げ、ケーブル保持溝５を開口し、該ケーブル保持溝５にケーブルＣを挿入保持するようにしてある。
【００２３】
上記挟持溝１１を形成する挟持板１０は、上記支持基板１の他端、即ち、ケーブル保持溝５の開口側端部乃至その近傍から湾曲連結部９を介して断面Ｃ字状をなし支持基板１裏面との間に、例えば１ｃｍ程度の厚さの挟持溝１１を形成するものとしてあり、このとき該挟持板１０はその突出方向先端を、上記ケーブル保持板３乃至その曲げ片６と同様に、その先端を、支持基板１裏面に直接又は曲げ片を介して、本例にあっては直接に対接又は近接するように配置してある。このとき、該挟持板１０の先端に配置した上記支持基板１離隔方向に向けた挟持ガイド１２は、該挟持板１０の先端に、挟持板１０を折り返すように、例えば１２０°の角度にして６〜８ｍｍ程度の幅の、支持基板１裏面との間に、構造材のフランジＢ、設置物の突出縁等適宜の固定部位を受け入れる傾斜ガイドをなすものとしてある。
【００２４】
このとき、該挟持ガイド１２には、該挟持ガイド１２を支持基板１側に鋭角に延長突出しその先端を支持基板１に対接する挟持板先端長手方向に複数の切起し鋭角突片１３を配置したものとしてあり、本例にあって該切起し鋭角突片１３は、例えば内角を６０°とし、突出長さを３ｍｍ程度としたものを、挟持板１０先端長手方向中間に等間隔に３ヶ所配置したものとしてある。
【００２５】
このように上記断面Ｓ字状一体にして、支持基板１からケーブル保持板３にスリット４を配置し、ケーブル保持板３の先端に押開き操作片７を、挟持板１０の先端に挟持ガイド１２と切起し鋭角突片１３を配置した、本例のケーブルクリップＡは、例えばケーブルＣの保持を行う位置で、構造材のフランジＢや設置物の突出縁等適宜の固定部位に宛がうようにして、挟持ガイド１２を用いて支持基板１と挟持板１０間に該固定部位を受け入れてその固定を行う一方、押開き操作片７のドライバー受入孔８にプラスドライバー又はマイナスドライバーを挿入して、開口したケーブル保持溝５に入出力用に用いた単一乃至多数本のケーブルＣを挿入してその弾発的な保持を行うようにするものとしてある。ケーブルクリップＡの構造材や設置物への固定に際しては、切起し鋭角突片１３が挿入方向に向いて傾斜しているから、該切起し鋭角突片１３が固定部位に対して抜け止め機能を発揮し、該固定部位へのケーブルＣの保持を確実に行うことができ、また、支持基板１からケーブル保持板３に一連のスリット４を配置してあるから、上記ドライバーによるケーブル保持溝５の開口とケーブルＣの挿入を可及的容易に行うことができ、使い勝手を良好なものとすることができる。ケーブルクリップＡは、数ｃｍ程度のコンパクトのものとしてあるから、ケーブルＣの保持に殊更にスペースを占有するということもない。
【００２６】
更に、上記断面Ｕ字状のケーブル保持溝５の長さをケーブルＣ多数本分、本例にあっては７ｍｍ径のケーブルＣの４本用とし、ケーブル保持板３を、湾曲連結部２から支持基板１側に傾斜配置してケーブル保持板３を支持基板１側に付勢したから、ケーブル保持溝５内でケーブルＣを弾発押圧状に保持することができ、このとき、ケーブルＣの数が上記多数本以下の、例えば１本のとき、該ケーブルＣは付勢力を受けて、ケーブル保持溝５の奥位置に納まり、２乃至３本のとき、該１本に並んで他のケーブルＣが、ケーブル保持溝５内で揺動するようにこれに納めることができるから、ケーブルＣのケーブル保持溝５内での位置固定を回避でき、例えば、多方向からケーブルＣがケーブル保持溝５に至る場合に、ケーブルＣに無理な負荷が掛かるのを防止し得るように、該ケーブルＣがケーブル保持溝５内で揺動し得ることによって、ケーブルの相対的位置、ケーブルの方向、ケーブルの径、ケーブルの弛み等、固定部位との間で生じるケーブルＣの配置形態における様々なケースで、ケーブルＣに負担をかけることなく、その保持を安定且つ確実になし得るものとすることができる。
【符号の説明】
【００２７】
Ａ  ケーブルクリップ
Ｂ  構造材のフランジ
Ｃ  ケーブル
１  支持基板
２  湾曲連結部
３  ケーブル保持板
４  スリット
５  ケーブル保持溝
６  曲げ片
７  押開き操作片
８  ドライバー受入孔
９  湾曲連結部
１０  挟持板
１１  挟持溝
１２  挟持ガイド
１３  切起し鋭角突片
【図１】
2013042601.tif 000003
【図２】
2013042601.tif 000004
【図３】
2013042601.tif 000005
【図４】
2013042601.tif 000006
【図５】
2013042601.tif 000007
【図６】
2013042601.tif 000008
【図７】
2013042601.tif 000009